(57)【特許請求の範囲】
【請求項１】
円環状に形成されたステータコアの各スロットに交互に挿通される往き導体部及び還り導体部からなるコイル辺部と、前記コイル辺部と一体に形成されて前記往き導体部及び前記還り導体部の同一側端部を接続するコイル端部と、を有するコイル導体がヘリカル状につながり波巻き構成となるようにしたヘリカル巻シート状コイルが前記ステータコアの径方向に巻き重ねられているモータコイルであって、
前記ヘリカル巻シート状コイルは、前記コイル辺部がシート厚さ方向に積層されて２層に形成されており、
前記コイル端部が、前記２層の異なる層に配される前記往き導体部及び前記還り導体部を波巻き方向に順に接続してコイル要素を形成し、
同一スロット内で隣接する前記コイル要素を一対として、前記コイル要素が２磁極ピッチ毎に前記可動子磁極の移動方向に配されて接続される一対のコイルユニットが互いに直列接続されて相単位コイルを形成し、
同相の電磁気的に位相の異なる前記相単位コイルが直列接続されており、
前記ステータコアは、径方向の内周側に前記ヘリカル巻シート状コイルを備えており、
前記ヘリカル巻シート状コイルは、前記ステータコアの周方向に沿って多重に周回するように、前記ステータコアのスロット底部側からスロット開口部側に向かう方向である径方向内側に向かって巻き重ねられており、
コイル端子部を出発点とする前記ヘリカル巻シート状コイルのモータ回転軸方向のコイル端子部取り出し側から視た周回方向が、ヘリカル巻きの巻き方向と逆方向になるように前記ステータコアに取付けられているモータコイル。
【請求項２】
円環状に形成されたステータコアの各スロットに交互に挿通される往き導体部及び還り導体部からなるコイル辺部と、前記コイル辺部と一体に形成されて前記往き導体部及び前記還り導体部の同一側端部を接続するコイル端部と、を有するコイル導体がヘリカル状につながり波巻き構成となるようにしたヘリカル巻シート状コイルが前記ステータコアの径方向に巻き重ねられているモータコイルであって、
前記ヘリカル巻シート状コイルは、前記コイル辺部がシート厚さ方向に積層されて２層に形成されており、
前記コイル端部が、前記２層の異なる層に配される前記往き導体部及び前記還り導体部を波巻き方向に順に接続してコイル要素を形成し、
同一スロット内で隣接する前記コイル要素を一対として、前記コイル要素が２磁極ピッチ毎に前記可動子磁極の移動方向に配されて接続される一対のコイルユニットが互いに直列接続されて相単位コイルを形成し、
同相の電磁気的に位相の異なる前記相単位コイルが直列接続されており、
前記ステータコアは、径方向の外周側に前記ヘリカル巻シート状コイルを備えており、
前記ヘリカル巻シート状コイルは、前記ステータコアの周方向に沿って多重に周回するように、前記ステータコアのスロット底部側からスロット開口部側に向かう方向である径方向外側に向かって巻き重ねられており、
コイル端子部を出発点とする前記ヘリカル巻シート状コイルのモータ回転軸方向のコイル端子部取り出し側から視た周回方向が、ヘリカル巻きの巻き方向と同じ方向になるように前記ステータコアに取付けられているモータコイル。
【請求項３】
前記ヘリカル巻シート状コイルは、前記可動子磁極の移動方向の隣接するコイル辺部間が、前記ステータコアの磁極歯部を収容可能に離間されている請求項１または請求項２に記載のモータコイル。
【請求項４】
前記ヘリカル巻シート状コイルは、前記コイルユニットが、複数の細線を並列に配列した並列細線からなる請求項１〜３のいずれか１項に記載のモータコイル。
【請求項５】
前記ヘリカル巻シート状コイルは、前記細線同士が交差しないように巻装されている請求項４に記載のモータコイル。
【請求項６】
コイル辺ピッチ、前記コイル端部の高さ及び前記コイル辺部の断面形状のうちの少なくともひとつは、前記ステータコアへの取り付け周毎に異なり、
前記コイル端部の断面形状は、前記コイルユニット間で共通の形状部分を有する請求項１〜５のいずれか１項に記載のモータコイル。
【発明の詳細な説明】
【技術分野】
【０００１】
本発明は、回転電機の波巻き巻線及びその固定方法に関する。
【背景技術】
【０００２】
モータ等の回転電機の固定子巻線や回転子巻線の巻装方法として、導体を波状に巻装する波巻き巻装方式が知られている。例えば、波巻き巻装方式の一例として、非特許文献１及び２に記載の電動機用巻線が挙げられる。非特許文献１及び２に記載の発明は、ヘリカル巻線を用いてスロットレスの電動機用巻線を形成している。
【先行技術文献】
【非特許文献】
【０００３】
【非特許文献１】安川電機  技報  第５１巻（通巻第１９７号）Ｎｏ．４  １９８７  ３５１〜３５９頁
【非特許文献２】安川電機  技報  第５３巻（通巻第２０５号）Ｎｏ．４  １９８９  ３０４〜３１２頁
【発明の概要】
【発明が解決しようとする課題】
【０００４】
しかしながら、非特許文献１及び２に記載の発明では、ステータコアはスロットを備えていないので、ロータとステータ間の空隙部分における磁束密度が小さく、出力トルクが比較的大きい電動機には適用が困難であった。また、回転電機に広く使用されている３相コイルを巻装する場合には、コイル端部に重なりが生じるため、コイル端部のスペースが大きくなり、回転電機の体格が増大するという問題があった。
【０００５】
本発明は、上記実情に鑑みてなされたものであり、コイル端部における高占積率化を図り、スロットを備えるステータコアを有する回転電機に適用可能なヘリカル巻シート状コイルを備えるモータコイルを提供することを課題とする。
【課題を解決するための手段】
【０００６】
請求項１に係るモータコイルは、円環状に形成されたステータコアの各スロットに交互に挿通される往き導体部及び還り導体部からなるコイル辺部と、コイル辺部と一体に形成されて往き導体部及び還り導体部の同一側端部を接続するコイル端部と、を有するコイル導体がヘリカル状につながり波巻き構成となるようにしたヘリカル巻シート状コイルがステータコアの径方向に巻き重ねられているモータコイルであって、ヘリカル巻シート状コイルは、コイル辺部がシート厚さ方向に積層されて２層に形成されており、コイル端部が、２層の異なる層に配される往き導体部及び還り導体部を波巻き方向に順に接続してコイル要素を形成し、同一スロット内で隣接するコイル要素を一対として、コイル要素が２磁極ピッチ毎に可動子磁極の移動方向に配されて接続される一対のコイルユニットが互いに直列接続されて相単位コイルを形成し、同相の電磁気的に位相の異なる相単位コイルが直列接続されており、ステータコアは、径方向の内周側にヘリカル巻シート状コイルを備えており、ヘリカル巻シート状コイルは、ステータコアの周方向に沿って多重に周回するように、ステータコアのスロット底部側からスロット開口部側に向かう方向である径方向内側に向かって巻き重ねられており、コイル端子部を出発点とするヘリカル巻シート状コイルのモータ回転軸方向のコイル端子部取り出し側から視た周回方向が、ヘリカル巻きの巻き方向と逆方向になるようにステータコアに取付けられている。
請求項２に係るモータコイルは、円環状に形成されたステータコアの各スロットに交互に挿通される往き導体部及び還り導体部からなるコイル辺部と、コイル辺部と一体に形成されて往き導体部及び還り導体部の同一側端部を接続するコイル端部と、を有するコイル導体がヘリカル状につながり波巻き構成となるようにしたヘリカル巻シート状コイルがステータコアの径方向に巻き重ねられているモータコイルであって、ヘリカル巻シート状コイルは、コイル辺部がシート厚さ方向に積層されて２層に形成されており、コイル端部が、２層の異なる層に配される往き導体部及び還り導体部を波巻き方向に順に接続してコイル要素を形成し、同一スロット内で隣接するコイル要素を一対として、コイル要素が２磁極ピッチ毎に可動子磁極の移動方向に配されて接続される一対のコイルユニットが互いに直列接続されて相単位コイルを形成し、同相の電磁気的に位相の異なる相単位コイルが直列接続されており、ステータコアは、径方向の外周側にヘリカル巻シート状コイルを備えており、ヘリカル巻シート状コイルは、ステータコアの周方向に沿って多重に周回するように、ステータコアのスロット底部側からスロット開口部側に向かう方向である径方向外側に向かって巻き重ねられており、コイル端子部を出発点とするヘリカル巻シート状コイルのモータ回転軸方向のコイル端子部取り出し側から視た周回方向が、ヘリカル巻きの巻き方向と同じ方向になるようにステータコアに取付けられている。
【０００７】
請求項３に係るモータコイルのヘリカル巻シート状コイルは、請求項１または請求項２において、可動子磁極の移動方向の隣接するコイル辺部間が、ステータコアの磁極歯部を収容可能に離間されている。
【０００８】
請求項４に係るモータコイルのヘリカル巻シート状コイルは、請求項１〜３のいずれか１項において、コイルユニットが、複数の細線を並列に配列した並列細線からなる。
【０００９】
請求項５に係るモータコイルのヘリカル巻シート状コイルは、請求項４において、細線同士が交差しないように巻装されている。
【００１６】
請求項６に係るモータコイルは、請求項１〜５のいずれか１項において、コイル辺ピッチ、コイル端部の高さ及びコイル辺部の断面形状のうちの少なくともひとつが、ステータコアへの取り付け周毎に異なり、コイル端部の断面形状は、コイルユニット間で共通の形状部分を有する。
【発明の効果】
【００１８】
請求項１に係るモータコイルによれば、ヘリカル巻シート状コイルは、同一スロット内で隣接するコイル要素を一対として、コイル要素が２磁極ピッチ毎に可動子磁極の移動方向に配されているので、可動子磁極の移動方向のコイル要素間の相対的な位置関係を保持することができる。さらに、厚さ方向に２層に形成されるコイル辺部の異なる層に配される往き導体部及び還り導体部は、コイル端部によってヘリカル状につながり波巻き構成となるように順に接続されてコイルユニットが形成されているので、コイル端部にて構成導体毎に整列して規則正しく層間を渡らせることができる。そのため、コイル端部同士の重なりを３次元的に、きめ細かく回避することができ、コイル端部の占積率が向上してコイル端部のスペースを小さくすることができる。また、全節巻の波巻き構成において、同相の電磁気的に位相の異なる相単位コイルは、１磁極内に位置するコイル辺部の電流方向が一致するように直列接続されているので、短節巻の効果を得ることができ、トルクリプル等を低減することができる。さらに、コイル端部を短くしてコンパクトにできるので、漏れリアクタンスを減少させることができる。
また、請求項１または請求項２に係るモータコイルによれば、コイル素線端部及びコイル端子部をステータコアのスロット径方向端部に配置することができるので、コイル素線端部及びコイル端子部をコイル端部と交差しないように引回すことができ、回転電機を小型化することができる。
【００１９】
請求項３に係るモータコイルによれば、ヘリカル巻シート状コイルは、可動子磁極の移動方向の隣接するコイル辺部間が、ステータコアの磁極歯部を収容可能に離間されているので、スロットを備えるステータコアを有する回転電機に用いることができる。
【００２０】
請求項４に係るモータコイルによれば、ヘリカル巻シート状コイルは、コイルユニットが、複数の細線を並列に配列した並列細線からなるので、コイル導体部に発生する渦電流損を低減させることができ、モータ効率が向上する。また、コイル成形に要する力を小さくすることができるので、成形性が向上してコイル製作が容易になる。
【００２１】
請求項５に係るモータコイルによれば、ヘリカル巻シート状コイルは、細線同士が交差しないように巻装されているので、コイル端部をコンパクトにして占積率を高めることができ、回転電機を小型化、低コスト化することができる。
【００２７】
請求項６に係るモータコイルによれば、コイル辺ピッチ又はコイル端部の高さがステータコアに取り付ける円周に合わせて形成されているので、取り付け周毎にコイル長を適切にすることができ、回転電機を小型化、低コスト化することができる。また、コイル辺部の断面形状が取り付け周毎に異なるので、コイル辺部における占積率を高めることができる。さらに、コイル端部の断面形状は、コイルユニット間で共通の形状部分を有するので、コイル端部をコンパクトにすることができる。
【図面の簡単な説明】
【００２９】
【図１】ヘリカル巻シート状コイルの１相の単位コイル分を示す模式図である。
【図２】ヘリカル巻シート状コイルの３相分を示す模式図である。
【図３】図２のＡＡ−ＡＡ断面図である。
【図４】ヘリカル巻シート状コイルの相構成を模式的に示す図である。
【図５】ヘリカル巻シート状コイルのＵ相の接続状態を模式的に示す図である。
【図６】シート端接続によるヘリカル巻シート状コイルの端部構成を模式的に示す図である。
【図７】シート端引回しによるヘリカル巻シート状コイルの端部構成を模式的に示す図である。
【図８】並列細線の配列を模式的に示す図である。
【図９】ヘリカル巻シート状コイルが積層されたモータコイルの層渡り状態及びシート端部での接続状態を模式的に示す図である。
【図１０】ヘリカル巻シート状コイルがステータコアの径方向に巻き重ねられているモータコイルを模式的に示す図である。
【図１１】ヘリカル巻シート状コイルがステータコアの軸方向に巻き重ねられているモータコイルを模式的に示す図である。
【図１２】ステータコアへの取り付け周毎にヘリカル巻シート状コイルが変形されているモータコイルを模式的に示す図である。
【図１３】並列細線からなるヘリカル巻シート状コイルを半閉スロットのステータコアに固定する手順を示す説明図である。
【発明を実施するための形態】
【００３０】
以下、本発明の実施形態を図面に基づいて説明する。なお、各実施形態について共通の箇所には共通の符号を付して対応させることにより重複する説明を省略する。なお、各図は概念図であり、細部構造の寸法まで規定するものではない。
【００３１】
（１）ヘリカル巻シート状コイル
図１は、ヘリカル巻シート状コイルの１相の単位コイル分を示す模式図である。（ｂ）は、コイル導体が巻芯に巻装された状態を示しており、（ｃ）は、（ｂ）において、巻芯を取り除いた状態を示している。（ｄ）は、紙面奥側（Ａ側）のコイル導体の巻装状態（Ｂ側からの透視図）を示しており、（ｅ）は、紙面手前側（Ｂ側）のコイル導体の巻装状態を示している。
【００３２】
図１の実線は、巻線ピッチＳ１０の位置から６巻線ピッチ（１磁極ピッチ）毎にコイル導体が巻装された状態を示している。実線で示すコイルユニット１ａは、巻線ピッチＳ１０の位置において、紙面手前側（Ｂ側）から紙面奥側（Ａ側）の方向に巻装されており、巻線ピッチＳ１０、Ｓ１６、Ｓ２２、Ｓ２８及びＳ３４において、コイルユニット１ａは、巻芯の短手方向（巻芯軸に垂直な方向）に直線状に延びるコイル辺部１０ａが形成されている。図１のＢ側からＡ側に向けてコイル導体が巻装されるときに形成されるコイル辺部１０ａを往き導体部１１ａと呼称し、Ａ側からＢ側に向けて巻装されるときに形成されるコイル辺部１０ａを還り導体部１２ａと呼称する。往き導体部１１ａ及び還り導体部１２ａの同一側端部は、コイル辺部１０ａと一体に形成されるコイル端部２０ａによって接続されている。コイル端部２０ａは、巻線ピッチＳ１３、Ｓ１９、Ｓ２５、Ｓ３１及びＳ３７において巻き曲げられて、巻き曲げ部２１ａがそれぞれ形成されている。
【００３３】
図１に示すように、本明細書では、半磁極ピッチ分のコイル端部２０ａと、往き導体部１１ａと、１磁極ピッチ分のコイル端部２０ａと、還り導体部１２ａと、半磁極ピッチ分のコイル端部２０ａと、を有するコイル導体をコイル要素４ａと呼称する。コイル要素４ａが２磁極ピッチ毎に巻芯の長手方向（巻芯軸方向）に配されて接続された状態のコイル導体をコイルユニット１ａと呼称する。
【００３４】
図１の破線は、実線で示すコイルユニット１ａと同様に、巻線ピッチＳ１０の位置から６巻線ピッチ（１磁極ピッチ）毎にコイル導体が巻装された状態を示している。破線で示すコイルユニット１ｂは、巻線ピッチＳ１０の位置において、紙面奥側（Ａ側）から紙面手前側（Ｂ側）の方向に巻装されている点が実線で示すコイルユニット１ａと異なる。破線で示すコイルユニット１ｂは、実線で示すコイルユニット１ａと同様に巻線ピッチＳ１０、Ｓ１６、Ｓ２２、Ｓ２８及びＳ３４においてコイル辺部１０ｂが形成されており、コイル辺部１０ｂは、往き導体部１１ｂ及び還り導体部１２ｂからなる。また、往き導体部１１ｂ及び還り導体部１２ｂの同一側端部は、コイル辺部１０ｂと一体に形成されるコイル端部２０ｂによって接続されている。コイル端部２０ｂは、巻線ピッチＳ１３、Ｓ１９、Ｓ２５、Ｓ３１及びＳ３７において巻き曲げられて、巻き曲げ部２１ｂがそれぞれ形成されている。
【００３５】
コイルユニット１ａと同様に、本明細書では、半磁極ピッチ分のコイル端部２０ｂと、往き導体部１１ｂと、１磁極ピッチ分のコイル端部２０ｂと、還り導体部１２ｂと、半磁極ピッチ分のコイル端部２０ｂと、を有するコイル導体をコイル要素４ｂと呼称する。コイル要素４ｂが２磁極ピッチ毎に巻芯の長手方向（巻芯軸方向）に配されて接続された状態のコイル導体をコイルユニット１ｂと呼称する。実線で示すコイルユニット１ａと破線で示すコイルユニット１ｂは、シート厚さ方向に対をなしている。
【００３６】
コイルユニット１ａのコイル辺部１０ａとコイルユニット１ｂのコイル辺部１０ｂとがシート厚さ方向に隣接して密着するように加圧成形すると、コイル辺部１０ａ及びコイル辺部１０ｂは、巻芯の長手方向（巻芯軸方向）に２層に亘って２磁極ピッチずつ離間された状態で整列する。紙面奥側（Ａ側）に形成されるコイル辺部１０ａ及びコイル辺部１０ｂを第１層と呼称し、紙面手前側（Ｂ側）に形成されるコイル辺部１０ａ及びコイル辺部１０ｂを第２層と呼称する。図１（ａ）及び（ｆ）は、第１層及び第２層におけるコイル導体の層渡り状態を示している。これらの図では、層間を接続する部分が最短となるようにコイル導体の層渡り状態を模式的に図示している。なお、コイルユニット１ａ、１ｂがステータコアに取り付けられた際には、図１に示す巻芯の長手方向（巻芯軸方向）は、可動子磁極の移動方向に相当する。
【００３７】
図２は、ヘリカル巻シート状コイルの３相分を示す模式図である。図２は、図１の（ａ）〜（ｆ）にそれぞれ対応しており、図２に示す巻線ピッチＳは、図１に示す巻線ピッチＳに対応している。図３は、図２のＡＡ−ＡＡ断面図を示している。本実施形態では、同一スロット内で隣接する実線で示すコイル要素４ａと破線で示すコイル要素４ｂを一対として、一対のコイル要素４ａ、４ｂが２磁極ピッチ毎に巻芯の長手方向（巻芯軸方向）に配されている。例えば、図２及び図３に示すように、巻線ピッチＳ１０の第２層と巻線ピッチＳ１６の第１層との間でコイル要素４ａが形成され、これと対になるコイル要素４ｂは、巻線ピッチＳ１０の第１層と巻線ピッチＳ１６の第２層との間で形成されている。同様にして、１巻線ピッチ進んだ巻線ピッチＳ１１の第２層と巻線ピッチＳ１７の第１層との間でコイル要素４ａが形成され、これと対になるコイル要素４ｂは、巻線ピッチＳ１１の第１層と巻線ピッチＳ１７の第２層との間で形成されている。
【００３８】
本実施形態では、図３に示すように、可動子磁極の移動方向に、Ｕ相（順方向Ｕ１）、Ｕ相（順方向Ｕ２）、Ｗ相（逆方向Ｗ１）、Ｗ相（逆方向Ｗ２）、Ｖ相（順方向Ｖ１）、Ｖ相（順方向Ｖ２）、Ｕ相（逆方向Ｕ１）、Ｕ相（逆方向Ｕ２）の順にコイルが形成されている。本実施形態では、同相のコイルユニット１ａ、１ｂが可動子磁極の移動方向に２本隣接しており、同相コイルの巻線単位は４本からなる。同相のコイルユニット１ａ、１ｂ、１ａ、１ｂは、回転電機の駆動時に流れる電流方向が一致するように直列接続されており、１２本の巻線単位からなる３相巻線が構成されている。なお、同図に示すように、可動子磁極の移動方向の隣接する各コイル辺部間は、ステータコアの磁極歯部を収容可能に所定間隔１Ｗ離間されている。
【００３９】
図４は、ヘリカル巻シート状コイルの相構成を模式的に示す図である。本実施形態では、シート厚さ方向に対をなすコイルユニット１ａ、１ｂがシート端部で直列接続されて、相単位コイル５Ｕ１が形成されている。相単位コイル５Ｕ１を構成するコイルユニット１ａ、１ｂに対して、１巻線ピッチ分、可動子磁極の移動方向に離間しているシート厚さ方向に対をなすコイルユニット１ａ、１ｂがシート端部で直列接続されて、相単位コイル５Ｕ２が形成されている。そして、相単位コイル５Ｕ１、５Ｕ２がシート端部で直列接続されて、相コイル６Ｕが形成されている。
【００４０】
図５は、ヘリカル巻シート状コイルのＵ相の接続状態を模式的に示す図である。Ｕ相端子５ＴＵを起点にして、相単位コイル５Ｕ１のコイルユニット１ａ、１ｂ及び相単位コイル５Ｕ２のコイルユニット１ａ、１ｂが直列接続されて中性点５Ｎに接続されており、Ｕ相コイル６Ｕが形成されている。相単位コイル５Ｕ１、５Ｕ２は可動子磁極の移動方向に１巻線ピッチ分、離間しているので、相単位コイル５Ｕ１、５Ｕ２が発生する誘起電圧は、同相（Ｕ相）ではあるが、正確には位相が異なる。これを本明細書では、「電磁気的に位相が異なる」という。これらのことは、Ｖ相及びＷ相についても同様であり、図４に示すように、Ｖ相及びＷ相は、Ｕ相と同様の相構成になっている。
【００４１】
図６は、シート端接続によるヘリカル巻シート状コイルの端部構成を模式的に示す図である。同図は、シート厚さ方向視におけるシート両端部の巻線の接続状態を示している。（ａ）〜（ｃ）は、順にＵ相〜Ｗ相の１相分の接続状態を示しており、（ｄ）は、３相分の接続状態を示している。同図では、図１及び図２と同様に、コイルユニット１ａを実線で示し、コイルユニット１ｂを破線で示している。図中の丸数字は、相端子から中性点までの巻線の接続順を示している。以下、同図（ａ）に基づいてＵ相を例に説明するが、Ｖ相及びＷ相についても同様である。
【００４２】
相単位コイル５Ｕ１のコイルユニット１ａは、Ｕ相端子５ＴＵを起点にして紙面右方向に巻装されている（丸数字１〜５）。相単位コイル５Ｕ１のコイルユニット１ａは、シート端部の接続点５ＪＵ１において、相単位コイル５Ｕ１のコイルユニット１ｂと接続されている。相単位コイル５Ｕ１のコイルユニット１ｂは、接続点５ＪＵ１で巻き返されて紙面左方向に巻装されている（丸数字６〜１０）。相単位コイル５Ｕ１のコイルユニット１ａ、１ｂは、シート厚さ方向に対をなしている。
【００４３】
相単位コイル５Ｕ１のコイルユニット１ｂは、シート端部の接続点５ＪＵ２において、相単位コイル５Ｕ２のコイルユニット１ａと接続されている。相単位コイル５Ｕ２は、相単位コイル５Ｕ１に対して可動子磁極の移動方向（紙面右方向）に１巻線ピッチ分、離間している。相単位コイル５Ｕ２のコイルユニット１ａは、紙面右方向に巻装されており（丸数字１１〜１６）、シート端部の接続点５ＪＵ３において、相単位コイル５Ｕ２のコイルユニット１ｂと接続されている。相単位コイル５Ｕ２のコイルユニット１ｂは、接続点５ＪＵ３で巻き返されて紙面左方向に巻装されており（丸数字１７〜２２）、中性点５Ｎに接続されている。相単位コイル５Ｕ２のコイルユニット１ａ、１ｂは、シート厚さ方向に対をなしている。
【００４４】
ヘリカル巻シート状コイルの端部構成は、以下の端部構成とすることもできる。図７は、シート端引回しによるヘリカル巻シート状コイルの端部構成を模式的に示す図である。図７に示す端部構成は、図６に示す端部構成と比べて、紙面右方向のシート端部にコイルユニット１ａ、１ｂの接続点を有しない点が異なる。図７の（ａ）〜（ｄ）は、図６の（ａ）〜（ｄ）にそれぞれ対応しており、共通の箇所には共通の符号を付して対応させることにより、重複する説明を省略する。以下、（ａ）に基づいてＵ相を例に説明するが、Ｖ相及びＷ相についても同様である。
【００４５】
図７では、コイルユニット１ａ、１ｂは、説明の便宜上、実線及び破線により区別して記載されているが、コイルユニット１ａ、１ｂは、一体に形成されている。具体的には、相単位コイル５Ｕ１は、Ｕ相端子５ＴＵを起点にして紙面右方向に巻装された後（実線で示すコイルユニット１ａに相当。丸数字１〜５）、コイル引回し点５ＲＵ１で巻き返されて紙面左方向に巻装されている（破線で示すコイルユニット１ｂに相当。丸数字６〜１０）。相単位コイル５Ｕ２は、相単位コイル５Ｕ１との接続点５ＪＵ２を起点にして紙面右方向に巻装された後（コイルユニット１ａに相当。丸数字１１〜１６）、コイル引回し点５ＲＵ２で巻き返されて紙面左方向に巻装されており（コイルユニット１ｂに相当。丸数字１７〜２２）、中性点５Ｎに接続されている。
【００４６】
シート端部でコイルを引回す端部構成は、紙面右方向のシート端部に接続点を有しないので、シート端部でコイル同士を接続する場合と比べて、コイル端部２０ａ、２０ｂをコンパクトにすることができる。逆に、シート端部でコイル同士を接続する端部構成は、コイルユニット１ａ、１ｂをそれぞれ巻装した後に互いの端部同士を接続することができるので、コイルを引回す場合と比べて、製作が容易である。
【００４７】
本実施形態では、同一スロット内で隣接するコイル要素４ａ、４ｂを一対として、コイル要素４ａ、４ｂが２磁極ピッチ毎に可動子磁極の移動方向に配されているので、可動子磁極の移動方向のコイル要素４ａ、４ｂ間の相対的な位置関係を保持することができる。さらに、厚さ方向に２層に形成されるコイル辺部１０ａ、１０ｂの異なる層に配される往き導体部１１ａ、１１ｂ及び還り導体部１２ａ、１２ｂは、コイル端部２０ａ、２０ｂによってヘリカル状につながり波巻き構成となるように順に接続されてコイルユニット１ａ、１ｂが形成されているので、コイル端部２０ａ、２０ｂにて構成導体毎に整列して規則正しく層間を渡らせることができる。そのため、コイル端部２０ａ、２０ｂ同士の重なりを３次元的に、きめ細かく回避することができ、コイル端部２０ａ、２０ｂの占積率が向上してコイル端部２０ａ、２０ｂのスペースを小さくすることができる。
【００４８】
また、全節巻の波巻き構成において、同相の電磁気的に位相の異なる相単位コイル５Ｘ１、５Ｘ２（ＸはＵ、Ｖ、Ｗのいずれか）は、１磁極内に位置するコイル辺部の電流方向が一致するように直列接続されているので、短節巻の効果を得ることができ、トルクリプル等を低減することができる。さらに、コイル端部２０ａ、２０ｂを短くしてコンパクトにできるので、漏れリアクタンスを減少させることができる。
【００４９】
本節最後に、ヘリカル巻シート状コイルのコイル巻線について詳説する。本実施形態では、コイルユニット１ａ、１ｂの巻線は、断面略正方形の細線を３本並列に配列した並列細線を用いている。並列細線は、細線同士が交差しないように巻装されている。図８は、並列細線の配列を模式的に示す図である。ＢＢ−ＢＢ視において、往き導体部１１ａの並列細線が１、２、３の順に配列されているとすると、ＣＣ−ＣＣ視において、還り導体部１２ａの並列細線は、巻装された結果、１、２、３の順に巻き返した状態で配列されている。このことは、コイルユニット１ｂの巻線についても同様である。
【００５０】
なお、巻線を構成する細線の本数及び細線の断面形状は、特に限定されるものではなく、任意の本数及び任意の断面形状とすることができる。例えば、断面円形状の丸線、断面多角形状の角線などの種々の断面形状の細線を用いることができる。また、巻線は、１本の細線からなる単線とすることもできる。単線の場合も並列細線の場合と同様に細線の断面形状は、特に限定されるものではなく、既述の断面形状をはじめ任意の断面形状とすることができる。なお、巻線は、導体表面がエナメルなどの絶縁層で被覆されている。
【００５１】
本実施形態では、コイルユニット１ａ、１ｂは、複数（図８では３本）の細線を並列に配列した並列細線からなるので、単線の場合と比べてコイル導体部に発生する渦電流損を低減させることができ、モータ効率が向上する。また、コイル成形に要する力を小さくすることができるので、成形性が向上してコイル製作が容易になる。さらに、細線同士が交差しないように巻装されているので、コイル端部２０ａ、２０ｂをコンパクトにして占積率を高めることができ、回転電機を小型化、低コスト化することができる。
【００５２】
コイルユニット１ａ、１ｂは、例えば、巻芯に細線をヘリカル状に巻装して成形することができる。細線は、１本毎に巻芯に巻装しても複数本を同時に巻装しても良い。巻線ピッチＳを確保するために、巻芯にピンや溝等を設けて、ピンや溝をガイドにして巻装することもできる。そして、図２に示すように、すべての巻線を巻装後に巻芯を巻線から取り除き、一対のコイルユニット１ａ、１ｂを形成するコイル辺部１０ａ及び１０ｂが隣接して密着するように加圧成形する。加圧成形の際に巻線が損傷する場合を考慮して、加圧成形後に補修用樹脂コーティング等を施しても良い。
【００５３】
（２）モータコイル
図９は、ヘリカル巻シート状コイルが積層されたモータコイルの層渡り状態及びシート端部での接続状態を模式的に示す図である。本参考形態では、２層からなるヘリカル巻シート状コイル３が可動子磁極の移動面に対して垂直方向に３枚積層されてモータコイルが形成されている。ヘリカル巻シート状コイル３、３、３が３枚積層された結果、コイル辺部１０ａ、１０ｂからなる層は、６層に形成されている。３枚のヘリカル巻シート状コイル３、３、３は、可動子磁極の移動方向に同相になるように配列されており、同相のコイル端同士は、モータとして作動するうえで電磁気的に有効な向きに電流が流れるように電気的に接続されている。
【００５４】
同図（ａ）は、３枚のヘリカル巻シート状コイル３、３、３を直列接続した場合を示し、（ｂ）は、並列接続した場合を示している。巻線の接続はＵ相のみを示しており、シート端部の端部構成はコイルを引回す場合を例に示している。Ｖ相及びＷ相の巻線の接続方法はＵ相と同様であり、また、シート端部でコイル同士を接続する端部構成とすることもできる。層渡り状態及び巻線の接続状態は、シート側面方向（図７（ｄ）に示すＥ矢印方向）視であり、層渡り状態は、層間を接続する部分が最短となるように模式的に図示している。図中の丸数字は、Ｕ相端子５ＴＵから中性点５Ｎまでの巻線の接続順を示している。
【００５５】
同図（ａ）に示す直列接続の場合は、Ｕ相端子５ＴＵは１枚目のヘリカル巻シート状コイル３の相単位コイル５Ｕ１に接続されている。相単位コイル５Ｕ１は、紙面右方向に巻装された後、コイル引回し点５ＲＵ１で巻き返されて紙面左方向に巻装されている（丸数字１〜２）。相単位コイル５Ｕ２は、相単位コイル５Ｕ１との接続点５ＪＵ２を起点にして紙面右方向に巻装された後、コイル引回し点５ＲＵ２で巻き返されて紙面左方向に巻装されている（丸数字３〜４）。そして、相単位コイル５Ｕ２は、２枚目のヘリカル巻シート状コイル３の相単位コイル５Ｕ１に接続されている（丸数字５）。
【００５６】
２枚目のヘリカル巻シート状コイル３は、１枚目のヘリカル巻シート状コイル３と同様に巻装されている（丸数字６〜９）。２枚目のヘリカル巻シート状コイル３の相単位コイル５Ｕ２は、３枚目のヘリカル巻シート状コイル３の相単位コイル５Ｕ１に接続されている（丸数字１０）。３枚目のヘリカル巻シート状コイル３は、１枚目及び２枚目のヘリカル巻シート状コイル３と同様に巻装されており（丸数字１１〜１４）、中性点５Ｎが形成されている。
【００５７】
一方、同図（ｂ）に示す並列接続の場合は、Ｕ相端子５ＴＵは３枚のヘリカル巻シート状コイル３、３、３の相単位コイル５Ｕ１にそれぞれ接続されている。ヘリカル巻シート状コイル３内の接続は、同図（ａ）の直列接続の場合と同様である（丸数字１〜４）が、中性点５Ｎは３枚のヘリカル巻シート状コイル３、３、３の相単位コイル５Ｕ２にそれぞれ形成されている点が異なる。なお、３つの中性点５Ｎは、３枚のヘリカル巻シート状コイル３、３、３に個別に設けたままにしておいても良く、３つの中性点５Ｎを電気的に接続して、実質的に１つの中性点にしても良い。
【００５８】
本参考形態では、ヘリカル巻シート状コイル３、３、３が可動子磁極の移動面に対して垂直方向に３枚積層されて、モータとして作動するうえで電磁気的に有効な相構成となるように配列されて接続されているので、１枚分のシートコイル長を短くでき、コイル成形やステータコアへの組付けが簡便となる。また、３枚のヘリカル巻シート状コイル３、３、３は、可動子磁極の移動方向にスキュー相当分の位相差を設けて配列することもできる。これにより、急激な磁束変化を抑制して、トルクリプル等を低減することができる。
【００５９】
また、積層されるひとつのヘリカル巻シート状コイル３は、ロータの１磁極対分に相当するヘリカル巻シート状コイルを一単位として、それをステータ１周分に亘って直列接続して形成することもできる。なお、ヘリカル巻シート状コイル３の積層数は、３枚に限定されるものではなく、任意の積層数とすることができる。
【００６０】
（実施形態）
図１０は、ヘリカル巻シート状コイルがステータコアの径方向に巻き重ねられているモータコイルを模式的に示す図である。本実施形態では、２層からなるヘリカル巻シート状コイル３がステータコアの径方向に巻き重ねられて、モータコイルが形成されている。本実施形態のモータコイルは、ロータ及びステータが径方向に同芯に配されるラジアル型の円筒状モータに用いることができる。
【００６１】
ステータコアが、径方向の内周側にヘリカル巻シート状コイル３を備えており、ヘリカル巻シート状コイル３が、ステータコアの周方向に沿って多重に周回するように、ステータコアのスロット底部側からスロット開口部側に向かう方向である径方向内側に向かって巻き重ねられている場合は、コイル端子部を出発点とするヘリカル巻シート状コイル３のモータ回転軸方向のコイル端子部取り出し側から視た周回方向が、ヘリカル巻きの巻き方向と逆方向になるようにステータコアに取付けられている。一方、ステータコアが、径方向の外周側にヘリカル巻シート状コイル３を備えており、ヘリカル巻シート状コイル３が、ステータコアの周方向に沿って多重に周回するように、ステータコアのスロット底部側からスロット開口部側に向かう方向である径方向外側に向かって巻き重ねられている場合は、コイル端子部を出発点とするヘリカル巻シート状コイル３のモータ回転軸方向のコイル端子部取り出し側から視た周回方向が、ヘリカル巻きの巻き方向と同じ方向になるようにステータコアに取付けられている。
【００６２】
これにより、コイル素線端部及びコイル端子部をステータコアのスロット径方向端部に配置することができるので、コイル素線端部及びコイル端子部をコイル端部２０ａ、２０ｂと交差しないように引回すことができ、回転電機を小型化することができる。ここで、コイル素線端部とは、相端子（５ＴＵ〜５ＴＷ）側において、コイルユニット１ａとコイルユニット１ｂとを接続するコイル導体部分をいう。コイル端子部とは、相端子（５ＴＵ〜５ＴＷ）とコイルユニット１ａとを接続するコイル導体部分をいう。
【００６３】
（参考形態）
図１１は、ヘリカル巻シート状コイルがステータコアの軸方向に巻き重ねられているモータコイルを模式的に示す図である。本参考形態では、２層からなるヘリカル巻シート状コイル３がステータコアの軸方向に巻き重ねられて、モータコイルが形成されている。本参考形態のモータコイルは、ロータ及びステータが同軸上に配されるアキシャル型の円筒状モータに用いることができる。
【００６４】
（変形形態）
図１２は、ステータコアへの取り付け周毎にヘリカル巻シート状コイルが変形されているモータコイルを模式的に示す図である。（ａ）及び（ｂ）は、モータコイルの軸方向視断面を示し、（ｃ）及び（ｄ）は、ステータコアのスロット部分の軸方向視断面を示している。
【００６５】
同図（ａ）は、ヘリカル巻シート状コイル３を複数枚（図では２枚）積層して、その両端部３１、３２を適宜接続して、モータとして作動するうえで電磁気的に有効な向きに電流が流れるように形成された同芯円筒状のモータコイルを示している。同図（ｂ）は、ヘリカル巻シート状コイル３がステータコアの径方向に巻き重ねられて（図では２周）形成された円筒状のモータコイルを示している。円筒状のモータコイルは、内周側と外周側とでは円周が異なるので、ステータコアへの取り付け周によって、必要なコイル長は異なる。また、平行磁極を形成するスロットに同一断面形状のモータコイルを取り付けると、取り付ける円周によって、コイル辺部１０ａ、１０ｂの占積率が異なる。
【００６６】
本変形形態では、ヘリカル巻シート状コイル３のコイル辺ピッチ、コイル端部の高さ及びコイル辺部の断面形状が取り付け周毎に異なっている。コイル辺ピッチとは、波巻きされる１相の往き導体部１１ａ及び還り導体部１２ａ間の距離又は１相の往き導体部１１ｂ及び還り導体部１２ｂ間の距離をいう。コイル端部の高さとは、コイル端部２０ａの巻き曲げ部２１ａから往き導体部１１ａ及び還り導体部１２ａの同一側端部を結ぶ直線までの距離又はコイル端部２０ｂの巻き曲げ部２１ｂから往き導体部１１ｂ及び還り導体部１２ｂの同一側端部を結ぶ直線までの距離をいう。本変形形態では、コイル辺部１０ａ、１０ｂの断面形状は、等断面積のもとに断面形状を変更するのが好ましい。本変形形態では、コイル辺ピッチ又はコイル端部の高さを取り付ける円周に合わせて形成することにより、取り付け周毎にコイル長を適切にすることができる。また、ステータコアとコイルの組付け作業に応じて調整ができるので、回転電機を小型化、低コスト化することができる。
【００６７】
平行磁極を形成するスロットにモータコイルを取り付けるときには、同図（ｃ）又は（ｄ）に示すように、磁極歯部４０の形状に合わせて、取り付け周毎にコイル辺部１０ａ、１０ｂの断面形状を等断面積のもとに変更することができる。コイル辺部１０ａ、１０ｂの断面形状は、同図（ｃ）又は（ｄ）に示す長方形又は台形をはじめ、任意の形状とすることができる。また、巻線に並列細線を用いる場合は、磁極歯部４０の形状に合わせて、細線の配列を変更することもできる。これにより、コイル辺部１０ａ、１０ｂにおける占積率を高めることができる。なお、ヘリカル巻シート状コイル３は、シート厚さ方向に２層（２本のコイル導体）に形成されているが、２本のコイル導体の断面形状は略同一とし、ヘリカル巻シート状コイル３の取り付け周毎にコイル導体の断面形状を変更しても良い。
【００６８】
本変形形態では、コイル辺ピッチ、コイル端部の高さ及びコイル辺部の断面形状の全てが取り付け周毎に異なっているが、モータ仕様に合わせて、これらのうちの少なくともひとつを取り付け周毎に変えることもできる。さらに、本変形形態では、コイル端部２０ａ、２０ｂの断面形状は、巻き曲げ部２１ａ、２１ｂ近傍がコイルユニット１ａ、１ｂ間で共通になっている。そのため、コイル端部２０ａ、２０ｂは、周方向の略中央部分が同形状になっているので、略中央部分にて構成導体毎に整列させることができ、コイル端部２０ａ、２０ｂをコンパクトにすることができる。
【００６９】
（３）ヘリカル巻シート状コイルの固定方法
図１３は、並列細線からなるヘリカル巻シート状コイルを半閉スロットのステータコアに固定する手順を示す説明図である。本実施形態では、２枚のヘリカル巻シート状コイル３、３を１枚ずつ順に半閉スロットのステータコアに挿入して固定する。したがって、スロット内には、４層のコイル辺部１０ａ、１０ｂ、１０ａ、１０ｂが積層される。
【００７０】
同図（ａ）に示すように、コイル辺部１０ａ、１０ｂがスロット開口部４１を通過するときに、コイル辺部１０ａ、１０ｂのみをヘリカル巻シート状コイル３の厚さ方向に略９０度回転させる。そして、下層側のコイル辺部１０ａをスロット方向に移動させて、スロット内に挿入する。下層側のコイル辺部１０ａをスロット内に挿入するときに、上層側のコイル辺部１０ｂをスロット開口部４１上に移動させて、上層側のコイル辺部１０ｂをスロット内に挿入する。コイル辺部１０ａ、１０ｂがスロット開口部４１を通過した後は、上述の回転方向と逆方向に略９０度コイル辺部１０ａ、１０ｂを回転させてスロット底部４２に配する。これにより、１枚のヘリカル巻シート状コイル３がスロット内に配される。
【００７１】
次に、２枚目のヘリカル巻シート状コイル３をスロット内に挿入する。同図（ｂ）に示すように、１枚目と同様にコイル辺部１０ａ、１０ｂがスロット開口部４１を通過するときに、コイル辺部１０ａ、１０ｂのみをヘリカル巻シート状コイル３の厚さ方向に略９０度回転させる。そして、下層側のコイル辺部１０ａをスロット方向に移動させて、スロット内に挿入する。スロット開口部４１を通過させた後、下層側のコイル辺部１０ａを上述の回転方向と逆方向に略９０度回転させて１枚目のヘリカル巻シート状コイル３の上に積置する。上層側のコイル辺部１０ｂは、スロット内に空隙が少なく、スロット内で細線を回転させることができないので、スロット開口部４１を通過するときに、細線の配列を変更する。同図（ｂ）に示すように、ステータの径方向に細線番号１、３の順に細線を並び変え、細線番号２の細線は、細線番号３に隣接してステータの周方向に配列する。細線番号１、３の細線がスロット開口部４１を通過した後、逆方向に略９０度回転させて下層側と同じ細線番号の位置に上層側の細線番号１、３の細線を積置する。最後に、細線番号２の細線を逆方向に略９０度回転させて下層側と同じ細線番号２の位置に積置する。
【００７２】
２枚目のヘリカル巻シート状コイル３の上層側のコイル辺部１０ｂは、同図（ｃ）に示す方法によって、スロット内に挿入することもできる。同図（ｃ）に示す方法は、細線をヘリカル巻シート状コイル３の厚さ方向に回転させない。磁極歯部４０の側壁側に配される細線番号１、３の細線がそれぞれスロット開口部４１を通過してスロット内に積置された後、残る細線番号２の細線をスロット内に挿入して積置する。以上のことは、コイル辺部１０ａ及び１０ｂの積層順が逆の場合についても同様に言える。
【００７３】
また、本実施形態では、並列細線は、相対的な位置関係が保持できるように、コイル端部２０ａ、２０ｂの巻き曲げ部２１ａ、２１ｂ近傍で細線同士が相互に固定されている。細線の固定は、ワニスの含浸、樹脂モールド等によって行うことができる。並列細線は、コイル端部２０ａ、２０ｂの一部又は全部において相互に固定することが望ましい。これにより、コイル辺部１０ａ、１０ｂのスロット内への挿入及び固定が容易になる。本図では、説明の便宜上、図８に示す素線数が３本の並列細線について説明したが、細線数が増減しても３本の場合と同様に細線をスロット内に挿入配置することができる。
【００７４】
なお、インナーロータを備える円環状のステータコアにヘリカル巻シート状コイル３を固定する場合には、まず、ヘリカル巻シート状コイル３を渦巻き状に巻き上げて、ステータコアの内周側に収容し、渦巻き状ヘリカル巻シート状コイル３の外周側シートから巻きほどきながらステータコアに取り付ける。また、渦巻き状ヘリカル巻シート状コイル３の全てをステータコアの内周側に収容することができない場合は、収容できない部分又は全てをステータコアの軸方向端部の外側より、平面状ヘリカル巻シート状コイルにて供給して、渦巻き状に巻きとりつつ、ステータコアに取り付けても良い。
【００７５】
（４）その他
本発明は上記し且つ図面に示した実施形態のみに限定されるものではなく、要旨を逸脱しない範囲内で適宜変更して実施可能である。また、本発明は、波巻き巻装方式の種々の回転電機に用いることができ、例えば、車両用モータや家庭用電器に用いられるモータあるいは一般的な産業用機械を駆動するモータに用いることができる。
【符号の説明】
【００７６】
１ａ、１ｂ：コイルユニット
１０ａ、１０ｂ：コイル辺部
１１ａ、１１ｂ：往き導体部
１２ａ、１２ｂ：還り導体部
２０ａ、２０ｂ：コイル端部
２１ａ、２１ｂ：巻き曲げ部
３：ヘリカル巻シート状コイル
４ａ、４ｂ：コイル要素
５Ｕ１、５Ｕ２、５Ｖ１、５Ｖ２、５Ｗ１、５Ｗ２：相単位コイル
６Ｕ、６Ｖ、６Ｗ：相コイル
【図１】
0005915151.tif 000002
【図２】
0005915151.tif 000003
【図３】
0005915151.tif 000004
【図４】
0005915151.tif 000005
【図５】
0005915151.tif 000006
【図６】
0005915151.tif 000007
【図７】
0005915151.tif 000008
【図８】
0005915151.tif 000009
【図９】
0005915151.tif 000010
【図１０】
0005915151.tif 000011
【図１１】
0005915151.tif 000012
【図１２】
0005915151.tif 000013
【図１３】
0005915151.tif 000014